(57)【特許請求の範囲】
【請求項１】
センサーであって：
複数のエッジにより限定されるセンシング・エリア；
前記センシング・エリアにわたって広がり、ジャンクションのグリッドを形成するように互いに交差する複数のアンテナであって、前記ジャンクションのグリッドはＨ＊Ｖ個のジャンクションを含み、前記複数のアンテナはＨ＋Ｖ個未満のアンテナを含み、Ｈは整数であり、Ｖも整数である、複数のアンテナ；
を有し、前記複数のアンテナの第１部分の各アンテナは、何れかのエッジから隣接する第１エッジに向かって斜めに延びた後に屈曲し、前記第１エッジから遠ざかるように延び、前記複数のアンテナの第２部分の各アンテナは、前記何れかのエッジから隣接する第２エッジに向かって斜めに延びた後に屈曲し、前記第２エッジから遠ざかるように延びる、センサー。
【請求項２】
前記複数のアンテナは、前記センシング・エリアのエッジのうちの１つのみから延びる、請求項１に記載のセンサー。
【請求項３】
前記複数のアンテナのうちの少なくとも何れかは、前記複数のアンテナのうちの他の全てと交差する、請求項１又は２に記載のセンサー。
【請求項４】
前記複数のアンテナから形成されるジャンクションの数は（Ｎ／２）＾２より大きく、Ｎは複数のアンテナの数である、請求項１ないし３のうちの何れか一項に記載のセンサー。
【請求項５】
前記第１部分のうちのアンテナは、前記第２部分及び前記第１部分のうちのアンテナとジャンクションを形成する、請求項１ないし４のうちの何れか一項に記載のセンサー。
【請求項６】
前記何れかのエッジの長さがＸであり、前記隣接する第１エッジの長さがＹであり、前記複数のアンテナから斜めに延びるアンテナと前記何れかのエッジとの間の角度は、（Ｙ／Ｘ）の逆正接とは異なる角度である、請求項５に記載のセンサー。
【請求項７】
前記複数のアンテナは、前記隣接する第１エッジに沿って延び且つ前記第１部分とジャンクションを形成する第１アンテナを含む、請求項５又は６に記載のセンサー。
【請求項８】
前記第１部分は、前記隣接する第１エッジに沿って部分的に延びている、請求項５ないし７のうちの何れか一項に記載のセンサー。
【請求項９】
前記複数のアンテナは１つのレイヤ上にパターニングされる、請求項１ないし８のうちの何れか一項に記載のセンサー。
【請求項１０】
前記センサーは、前記センサーと相互作用するオブジェクトからの入力を検出して信号を送出するように構成される、請求項１ないし９のうちの何れか一項に記載のセンサー。
【請求項１１】
前記センサーが複数の個別センシング・エリアを有し、前記センシング・エリアは前記複数の個別センシング・エリアのうちの何れかである、請求項１ないし１０のうちの何れか一項に記載のセンサー。
【請求項１２】
前記センサーのジャンクションのうちの一部分は、前記複数の個別センシング・エリアのうちの２つの間に形成される、請求項１１に記載のセンサー。
【請求項１３】
前記センシング・エリアは、前記複数のアンテナの他のセンシング・エリアから独立に動作するように構成される、請求項１１に記載のセンサー。
【発明の詳細な説明】
【背景技術】
【０００１】
容量センサーは、多くのヒューマン・インターフェース・デバイス(HID)における位置及び近接検出に使用されており、HIDは、ラップトップ、トラックパッド、MP3プレーヤー、コンピュータ・モニター及びスマートフォン等のようにタッチ・スクリーンを含んでいる。容量センサーは、HIDと相互作用するために使用される導電性のスタイラス又は指の接触などのような導電性オブジェクトの位置及び接近を検出する。典型的には、容量センサーは、相互作用するオブジェクトのサイズ及び近接の双方を検知することが可能である。
【０００２】
容量センサーは、銅、酸化インジウム錫(ITO)及び印刷されたインク等のような様々な媒体から構成されることが可能な電極を含む。ITOは、典型的には、透明性を達成するために使用される。ある種の容量センサーは、グリッド・ベースであり、様々な地点における電極同士の間、或いは、グリッドにおけるジャンクション同士の間での相互容量を検出するように動作する。
【発明の概要】
【０００３】
グリッド・ベースの容量センサーの分解能は、行及び列アンテナ間に形成されるジャンクションの数により決定される。本開示の実施形態のうちの一側面によれば、グリッド・ベースの容量センサーのためのパターンが提供され、そのパターンは、所与のジャンクション数を形成するのに必要なアンテナ数を減らす。本開示の一実施形態によれば、グリッドを形成する全てのアンテナは、センサーの1つのエッジから延び、専らその1つのエッジからメタル・トレースを介して回路に接続する。選択的に、センサーの他のエッジは、メタル・トレースに拘束されず、電子ディスプレイのエッジの方へ向かって延び、電子ディスプレイの少なくとも3つのエッジにおいて、黒い印刷領域(black  print  area)は実質的に無い。少ない数のアンテナがパターンに含まれることは、センサーを動作させる回路の材料のコスト及び/又は請求(書)を減らす。
【０００４】
本開示の実施形態のうちの一側面によれば、個別的に又は一緒に動作することが可能な複数の独立したグリッド・ベースの容量センサーとともに形成されるタッチ・スクリーンが提供される。一実施形態では、独立した容量センサーの少なくとも一部分は、センサーの1つのエッジに沿ってそこからセンシング・アンテナへの接続を提供するパターンを含む。選択的に、複数の独立したセンサーは、分解能及びリフレッシュ・レートの妥協を行うことなく、長方形の又は大きなセンシング領域を形成するように構成される。
【０００５】
別意に定義されない限り、本願で使用される全ての技術的及び/又は科学技術的な用語は、当業者が通常理解するものと同じ意味を有する。本願で説明されるものに類似する又は等価な方法及び材料が、本開示による実施形態の実現又は試験に使用されることが可能であるが、以下においては、例示的な方法及び/又は材料が説明される。競合する場合、定義を含めて本明細書が支配することになる。更に、材料、方法及び具体例は例示的であるにすぎず、必ずしも限定であるようには意図されていない。
【図面の簡単な説明】
【０００６】
添付図面を参照しながら、本開示の実施形態が単なる例示によって本願で説明される。図面を詳細に具体的に参照するが、提示される特定の事物は、具体例であるに過ぎず、本開示の実施形態による例示的な説明を目的としていることが、強く主張される。この点に関し、図面とともに為される説明は、開示する実施形態がどのようにして実施されるかを当業者に明らかにする。
【図１Ａ】既存のディジタイザ・センサーのための例示的なグリッド・パターンについての概略的な図。
【図１Ｂ】本開示の実施形態によるディジタイザ・センサーのための例示的なグリッド・パターンについての概略的な図。
【図２】本開示の実施形態による横向き構成のディジタイザ・センサーのための例示的なグリッド・パターンの概略図。
【図３Ａ】本開示の実施形態による、入力を受信するディジタイザ・センサーの例示的なグリッド・パターンの例示的なジャンクションを識別する概略図。
【図３Ｂ】本開示の実施形態による、入力に基づいてディジタイザ・センサーにわたって動きを追跡するための番号付け体系を示す図。
【図４】本開示の実施形態に従ってセンシング・エリアのエッジ近辺の分解能を改善するセンシング・ラインを含む例示的なグリッド・パターンの概略図。
【図５】本開示の実施形態による複数のエッジに沿う改善された分解能を有する例示的な斜めのグリッド・パターンを示す概略図。
【図６】本開示の実施形態による複数の独立したセンシング・セクションから形成される例示的なグリッド・パターンを示す概略図。
【図７】本開示の実施形態によるディジタイザ・センサーのグリッド・パターンに対する例示的なジャンクションを示す図。
【図８】本開示の実施形態によるディジタイザー・システムの概略図。
【発明を実施するための形態】
【０００７】
本発明の一実施形態によれば、グリッド・ベースの容量センサーは、第1方向に沿って延び、曲がり、第2方向に沿って続くアンテナを有する。選択的に、アンテナは、センサーの1つのエッジから、2つの隣接するエッジのうちの一方に向かう角度で延び、そのエッジから遠ざかるように曲げられる。1つのエッジから遠ざかって曲がるアンテナは、その同じエッジから又は他方のエッジから遠ざかって曲がる他のアンテナと交差し、ジャンクションのグリッドを形成する。選択的に、アンテナは、互いに交差する「L」字形状のアンテナのアレイである。アンテナと交差するジャンクションは、屈曲部の両側で形成されることが可能である。屈曲により提供される追加的なアンテナ長は、各アンテナとともに形成されることが可能なジャンクション数を増やす。選択的に、本パターンは、追加的に、センシング・エリアの対向するエッジに沿って延びる一対のアンテナを含み、エッジの近辺の分解能を改善する。選択的に、「L」字形状のアンテナの一部分は、隣接するエッジのうちの一方に沿って延びる。選択的に、アンテナ・パターンは、各アンテナがほとんどの又は全ての他のアンテナと一回交差するように規定される。アンテナは、ブリッジを含むワングラス・ソリューション(a  one-glass  solution)を利用して単一レイヤ上にパターニングされ、ブリッジはジャンクションでアンテナを容量結合するために提供される。
【０００８】
選択的に、センサーの全てのアンテナは、センシング・エリアの1つのエッジから延びる。そのような構成に基づいて、複数のセンサーは、複数の独立したセンサー用に形成される大きなセンシング・エリアを設定するように、共存させて配置されることが可能である。選択的に、複数のセンサーは、より大きなセンシング・エリアの完全な範囲にわたってシームレスなセンシングを提供するように協調して動作することが可能である。
【０００９】
本発明の一実施形態によれば、グリッド・ベースの容量センサーは、相互容量検出(mutual  capacitive  detection)による指先入力などを検出することに適している。一実施形態では、相互容量検出の間に、アンテナに信号を与える又はトリガに関連する回路は、1つ以上のジャンクションで容量結合を導入し、1つ以上の他のジャンクションで容量結合信号をサンプリングする。アンテナのトリガリング及びサンプリングは、同時に生じることが可能である。選択的に、全てのアンテナがトリガリング及びサンプリングの双方を行ってもよい。一実施形態によれば、グリッド・ベースの容量センサーは、オブジェクト(又は対象又は客体)から送出されセンサーにより検出される信号に基づいて、例えばスタイラスのようなオブジェクトを追跡することに適している。
【００１０】
実施形態のうちの少なくとも1つの形態を詳細に説明する前に、本開示は、以下の記述で説明される及び/又は図面に示されるコンポーネント及び/又は方法の詳細な構成及び配置に本願では必ずしも限定されないことが、理解されるべきである。本開示は他の形態でなされることが可能であり、また、様々な仕方で実現又は実行されることが可能である。
【００１１】
図1A及び図1Bが参照され、それぞれ、既存のグリッド・パターン及び本開示の実施形態によるディジタイザ・センサーの例示的なグリッド・パターンの概略図を示す。既存のグリッド・ベースの容量センサーは、センシング・エリア105にわたって広がり且つジャンクション120を形成するように交差する行アンテナ152及び列アンテナ151を有するパターン150を含む。行アンテナ152は、センシング・エリア105の辺端101からの回路に接続し、列アンテナ151は、センシング・エリア105の辺端102からの回路に接続する。典型的には、センシング・エリア105は、エッジ102に沿う行アンテナ152及びエッジ101に沿う列アンテナ151を回路に接続するために、表示パネル・エリア300と比較して狭められている。センシング・エリア105は、典型的には、対称性の観点から、対面するエッジに沿って狭められてもよい。典型的には、エッジ101及び102に沿うエリア305は、アンテナを回路に接続するメタル・トレースでパターニングされている。選択的に、エリア305は、メタル・トレース及び/又は回路を隠すために、ブラック・プリントで印刷される。
【００１２】
相互容量検出の際に、ジャンクション120における入力は、一度に一つの信号をアンテナ152に与え、列アンテナ151からの出力をサンプリングすることによって検出される。代替的に、列アンテナが(信号を与えることにより)一度に一つトリガされ、行アンテナがサンプリングされてもよい。このグリッド・パターンにより提供されるジャンクション数は、行アンテナ数に列アンテナ数を乗算することにより決定される。選択的に、アンテナ152は、直交信号によりグループ毎にトリガされてもよい。図1Aに示される例では、2つの行アンテナ及び2つの列アンテナが4つのジャンクションを提供する。(これに対して)本開示の一実施形態によれば、代替的なパターン250が提供される。パターン250(図1B)は9個のジャンクションをもたらす4つのアンテナ150を含み、そのジャンクションからの入力は、相互容量検出又は自己容量検出に基づいて検出されることが可能である。パターン150及び250のそれぞれにおけるアンテナ数は同じであるが、パターン250により提供される分解能は、パターン150により提供される分解能の2倍よりも高い。選択的に、パターン250により提供されるジャンクション数は、(N/2)^2より大きい。選択的に、パターン250により提供されるジャンクション数は少なくともN*(N-1)/2であり、ここでNはアンテナ150の数である。本発明の一実施形態によれば、4つ全てのアンテナ150が、エッジ101から延び、エッジ101からの回路に接続する。センシング・エリア100は、従って、実質的にディスプレイ・エリア300の幅全体に延びることが可能である。メタル・トレースを収容するエリア305は、1つのエッジ(すなわち、エッジ101)に沿って必要とされるだけである。一実施形態では、J個のジャンクションを形成するために使用されるアンテナ数Nは、次式で規定される：N=ceiling((l+sqrt(l+8*J))/2)。
【００１３】
一実施形態において、アンテナ150は、エッジ101から、隣接するエッジ102の方へ向かって延び、屈曲部205を形成し、他の方向(例えば、エッジ103へ向かう方向)に延びる。典型的には、アンテナ150は、エッジ102で(反射するように)折り返され、屈曲部205はエッジ102に沿って生じる。アンテナ150の角度は、典型的には、センシング・エリア100のサイズ及びアスペクト比に依存する。アンテナ150は、典型的には、アンテナ151及び152より長く、より多くアンテナと交差する。相互容量検出の際に、各々のアンテナ150は、一度に一つの信号によりトリガされ、それに応じて全てのアンテナがサンプリングされる。典型的には、トリガされる各アンテナは、トリガリングに応じてサンプリングされてもよい。選択的に、直交信号とともにトリガリングされる場合には、1つより多いアンテナが一度にトリガされることが可能である。選択的に、アンテナは、様々な周波数及び/又は位相でアンテナ150に信号を与えることにより、同時にトリガされてもよい。自己容量検出に関連してセンサーを動作させる場合、全てのアンテナが同時にトリガされサンプリングされることが可能である。選択的に、自己容量検出は、一度にアンテナの一部分のみにおいて実行されてもよい。
【００１４】
図2を参照すると、本開示の実施形態による横向きの構成(ランドスケープ構成)によるディジタイザ・センサーのための例示的なグリッド・パターンの概略図が示されている。一実施形態では、ランドスケープ・パターン110は、エッジ101から一方の隣接エッジ102へ延び、エッジ103の方へ曲がるアンテナの第1アレイ156と、エッジ101から他方の隣接エッジ102へ延び、エッジ103の方へ曲がるアンテナの第2アレイ154とを含む。アレイ156のうちのアンテナは、アレイ156のうちの他のアンテナと交差し且つアレイ154のうちのアンテナとも交差する。同様に、アレイ154のうちのアンテナは、アレイ154のうちの他のアンテナと交差し且つアレイ156のうちのアンテナとも交差する。図示の例では、13本のアンテナが、80個を越えるジャンクションを提供するようにパターニングされている。一般に、行列グリッドの場合には、80個のジャンクションを形成するには、18-20個のアンテナが必要とされるであろう。アンテナ数の削減は、重要なことであり、すなわち、そのようなセンサーによる検出をサポートするために少数の回路しか必要とされない。
【００１５】
図3A及び図3Bを参照すると、入力を受信するディジタイザ・センサーの例示的なグリッド・パターンの例示的なジャンクションを識別する概略図、及び、入力に基づいてディジタイザ・センサーにわたって動きを追跡するための番号付け体系を示しており、これらは何れも本開示の実施形態によるものである。オブジェクトがセンサー・パターン251を横切って経路400に沿って動く場合、容量結合の変化が、経路400近辺のジャンクションで検出される。オブジェクトは、センサー・パターン251に容量結合する指先又は他のオブジェクトであるとすることが可能である。選択的に、オブジェクトは、信号を放出するスタイラス又は他のオブジェクトであり、センサー・パターン251はその信号を拾う。例えば、相互作用を示す容量結合の変化が、ジャンクション121、122、123、124、125、126及び127で検出される。選択的に、アレイ154内のアンテナは1ないしNの連続的な昇順で数えられ、Nはアレイ154内のアンテナ数であり、アレイ156内のアンテナはN-1ないし1の連続的な降順で数えられてもよい。選択的に、そのような方法でアンテナを数えることは、例えばジャンクション121-127のようなジャンクションに関し、直感的な座標を提供する。そのような表記法を利用する場合、ジャンクション121は座標(10,11)により規定され、ジャンクション122は座標(9,11)により規定され、ジャンクション123は座標(9,12)により規定され、ジャンクション124は座標(8,12)により規定され、ジャンクション125は座標(8,13)により規定され、ジャンクション126は座標(7,13)により規定され、ジャンクション127は座標(6,1)により規定される。このように、水平経路400に従う座標は、滑らかな傾斜を有する。この表記法は、垂直方向の動きについても、同様な直感的な座標を提供する。図3Bを参照すると、座標のラベル付けについてのダイヤル表現450は、方向400における動きによって座標がどのように変化するかを明らかにする。水平の動きに応じて、例えば、ペアのうちの第1座標は反時計回りに進行する一方、第2座標は時計回りに進行する。
【００１６】
図4を参照すると、本開示の実施形態に従ってセンシング・エリアのエッジ近辺の分解能を改善するセンシング・ラインを含む例示的なグリッド・パターンの概略図が示されている。一実施形態では、センサー・パターン252は、エッジ102で折り返される複数の斜めに延びるアンテナと、概ねエッジ102に沿って延び、エッジ102近辺に追加的なジャンクションを加える追加的なアンテナ160,161とを含む。アンテナ160及び161を追加することにより、屈曲部205はジャンクションとして機能し、屈曲部205における入力が、屈曲部205の各々とアンテナ160又は161との間の容量結合に基づいて検出されることが可能である。選択的に、アンテナ161も屈曲部を含み、センシング・エリア110の隅(又はコーナー)における分解能を増やすことが可能である。選択的に、各々のアンテナ160及び161は様々なアンテナ群とのジャンクションを形成するので、アンテナ160及びアンテナ161は単独のアンテナとして接続され動作することが可能である。
【００１７】
図5を参照すると、本開示の実施形態による複数のエッジに沿う改善された分解能を有する例示的な斜交グリッド・パターンの概略図が示されている。選択的に、エッジ102付近の分解能は、エッジ102に沿って先端が切り取られたような形状の屈曲部210を形成することにより改善される。打ち切られた部分はエッジ102に平行に延びる。屈曲部を打ち切ることは、エッジ102に対するジャンクションの近接度を増やし、それにより、エッジ付近で接触が検出可能になる。代替的に、打ち切られた部分(例えば、先端が打ち切られたような形状の部分211)のうちの全部又は一部が、互いに近接して配置され、それらの間でジャンクション126を形成することが可能である。
【００１８】
図6を参照すると、本開示の実施形態による複数の独立したセンシング・セクションから形成される例示的なグリッド・パターンを示す概略図が示されている。本開示の実施形態によれば、センシング・パターン250が、より大きなセンシング・パターン254を形成するように反復されている。代替的に、別のセンシング・パターンが、より大きなセンシング・パターン254を形成するために使用されてもよい。典型的には、センシング・パターンの少なくとも一部分が、同じエッジから延びるアンテナとともに形成され、それにより、他のセンシング・パターンは、そのセンシング・パターンの他の3つのエッジの周囲に配置されることが可能である。
【００１９】
選択的に、センシング・パターンは整合させられ、センシング・パターン250同士の間の近接は、センシング・ジャンクションがパーティション255(例えば、パターン250の間の仮想的なパーティション)に沿って形成されるように、規定されることが可能であり、それにより、パターン同士の間でジャンクションが形成される。選択的に、センシング・パターンは互いにつながるように整合させられてもよい。各パターン250は、規定されたエリアの入力を別個に検出するように動作してもよいし、或いは、パターン250は、センシング・エリア全体にわたって入力を同時に検出するように動作してもよい。この配置は、測定精度の妥協、及び、実質的により大きなアンテナを収容するための電力消費の増加を伴うことなく、より大きなセンシング・エリアを形成するために使用されることが可能である。そのような配置は、限られた数の構築ブロックを利用して、様々な形状因子を有するモジュール方式のソリューションを提供する。
【００２０】
図7を参照すると、本開示の実施形態によるディジタイザ・センサーのグリッド・パターンに対する例示的なジャンクションの概略図が示されている。本開示で説明される多くのセンサー・パターンは、あるエッジの方に向かって延びて折れ曲がる斜めのアンテナから形成されているが、各アンテナがほとんど又は全てのアンテナと1回交差する他のパターンが規定されることが可能であり、それにより、ジャンクション数に関連するアンテナ数が最適化される。図7に示される例では、15個のジャンクションが僅か6つのアンテナで形成され、各アンテナは他の全てのアンテナと1回交差する。図7に示されるように、ジャンクションを規定するために様々なパターンが形成されてよい。
【００２１】
図8を参照すると、本開示の実施形態によるディジタイザー・システムの概略図が示されている。本開示の一実施形態によれば、電子ディスプレイが、グリッド・ベースの容量センサー400とともに統合される。一実施形態では、各アンテナ150は、1つのエッジ101から延び、ディスプレイ405上のメタル・トレース415につながる。典型的には、メタル・トレース(又は金属配線)415を含むエリアを覆うために、ブラック・プリント(又は黒い領域)410が使用される。典型的には、メタル・トレース415は、特定用途向け集積回路(ASIC)又は1つ以上のASICsを含む印刷回路基板(PCB)を含む回路420に接続する。回路420は、センサー400を制御して作動させる。センサー400からの出力は、典型的には、ホスト430に報告される。選択的に、ホスト430は、回路420と通信し、センサー400を作動させるコマンドを提供する。典型的には、ディジタイザー・システムは、回路420と一緒にセンサー400を含む。選択的に、回路420の機能のうちの全部又は一部が、ホスト430に組み込まれる。
【００２２】
本開示の一実施形態によれば、回路420を伴うセンサー400は、1本以上の指、スタイラス、導電性オブジェクト及び誘電体オブジェクトによる入力を追跡するように作動する。典型的には、センサー400は、オブジェクトについての接触(又はタッチ)及びホバー(hover)の双方を検出することが可能である。一実施形態では、センサー400は透明なセンサーであり、アンテナ150は選択的に酸化インジウム錫(ITO)から形成される。
【００２３】
実施形態のうちの一形態はセンサーを提供し、センサーは、複数のエッジにより限定される(又は境界が決定される)センシング・エリア；及び、センシング・エリアにわたって広がり、ジャンクションのグリッドを形成するように互いに交差する複数のアンテナであって、ジャンクションのグリッドはH*V個のジャンクションを含み、複数のアンテナはH+V個未満のアンテナを含み、Hは整数であり、Vも整数である、複数のアンテナ；を有するセンサーである。
【００２４】
選択的に、複数のアンテナは、センシング・エリアの複数のエッジのうちの1つのみから延びる。
【００２５】
選択的に、複数のアンテナは互いに１回だけ交差する。
【００２６】
選択的に、複数のアンテナのうちの少なくとも何れかは、複数のアンテナのうちの他の全てと交差する。
【００２７】
選択的に、複数のアンテナから形成されるジャンクションの数は(N/2)^2より大きく、Nは複数のアンテナの数である。
【００２８】
選択的に、複数のアンテナのうちの第1部分は、何れかのエッジから第1の隣接するエッジに向かって斜めに延び、複数のアンテナのうちの第2部分は、その何れかのエッジから第2の隣接するエッジに向かって斜めに延びる。
【００２９】
選択的に、何れかのエッジの長さがXであり、第1の隣接するエッジの長さがYであり、複数のアンテナから斜めに延びるアンテナと何れかのエッジとの間の角度は、tan-1(Y/X)以上である。
【００３０】
選択的に、第1部分は、第1の隣接するエッジに向かって延びた後に、第1の隣接するエッジから遠ざかるように続いており、第2部分は、第2の隣接するエッジに向かって延びた後に、第2の隣接するエッジから遠ざかるように続いている。
【００３１】
選択的に、第1部分のうちのアンテナは、第2部分及び第1部分のうちのアンテナとジャンクションを形成する。
【００３２】
選択的に、複数のアンテナは、第1の隣接するエッジに沿って延び且つ第1部分とジャンクションを形成する第1アンテナを含む。
【００３３】
選択的に、第1部分は、第1の隣接するエッジに沿って部分的に延びている。
【００３４】
選択的に、複数のアンテナは1つのレイヤ上にパターニングされる。
【００３５】
選択的に、センサーは、相互容量検出又は自己容量検出のうちの少なくとも何れかに基づいて検出するように構成される。
【００３６】
選択的に、センサーは、センサーと相互作用して信号を送出するオブジェクトからの入力を検出するように構成される。
【００３７】
選択的に、センサーは複数の個別センシング・エリアを有し、センシング・エリアは複数の個別センシング・エリアのうちの何れかである。
【００３８】
選択的に、センサーのジャンクションのうちの一部分は、複数のセンシング・エリアのうちの2つの間に形成される。
【００３９】
センシング・エリアは、複数のアンテナの他のセンシング・エリアから独立に動作するように構成される。
【００４０】
実施形態のうちの一形態はセンサーを含むデバイスを提供し、センサーは、  複数のエッジにより限定されるセンシング・エリア；センシング・エリアにわたって広がり、ジャンクションのグリッドを形成するように互いに交差する複数のアンテナであって、ジャンクションのグリッドはH*V個のジャンクションを含み、複数のアンテナはH+V個未満のアンテナを含み、Hは整数であり、Vも整数である、センシング・エリアの第1エッジから延びる複数のアンテナ；及び、第1エッジに沿って複数のアンテナの各々に接続するように構成される回路；を有する。
【００４１】
選択的に、複数のアンテナのうちの第1部分は、第1エッジから、サブエリアの第1の隣接するエッジに向かって斜めに延びた後に、第1の隣接するエッジから遠ざかるように続いており、複数のアンテナのうちの第2部分は、第1エッジから、サブエリアの第2の隣接するエッジに向かって斜めに延びた後に、第2の隣接するエッジから遠ざかるように続いている。
【００４２】
選択的に、デバイスは、共存させて配置され且つより大きなセンシング・エリアを規定する複数のセンサーを含み、複数のセンサー各々の第1エッジは、より大きなセンシング・エリアの周囲の一部分に沿って延びる。
【００４３】
選択的に、デバイスは、センサーと相互作用する信号放出オブジェクトからの入力を検出するように構成される。
【００４４】
本願に記述されている具体例についての所定の特徴は、簡明化のため、個々の実施形態の文脈で記述されているが、その所定の特徴は1つの実施形態で組み合わせて提供されてもよい。逆に、本願で記述される具体例についての様々な特徴は、簡明化のため、1つの実施形態の文脈で記述されているが、その様々な特徴は、別々に又は何らかの適切なサブ・コンビネーションで、或いは、本開示の説明される他の何らかの実施形態で適切に提供されてよい。様々な実施形態の観点から説明される所定の特徴は、実施形態がこれらの要素無しには動作不能になってしまわない限り、それらの実施形態の本質的特徴であると解釈されるべきでない。
【図１Ａ】
0006586458.tif 000002
【図１Ｂ】
0006586458.tif 000003
【図２】
0006586458.tif 000004
【図３Ａ】
0006586458.tif 000005
【図３Ｂ】
0006586458.tif 000006
【図４】
0006586458.tif 000007
【図５】
0006586458.tif 000008
【図６】
0006586458.tif 000009
【図７】
0006586458.tif 000010
【図８】
0006586458.tif 000011